(57)【要約】【課題】  比較的小さな魚を傷つけることなく捕獲可能な遊戯用魚類捕獲具を提供する。【解決手段】  上部１２が開口し、側壁１４に貫通孔１６有し且つ沈水可能に構成された有底の深皿型容器１８と、その容器１８に一端が固定された釣糸２２と、釣糸２２の他端が固定された釣竿２６と、を備える。釣竿２６の一端を手で持ち、釣糸２２を介して容器１８を吊り下げ状態で、容１８器内に魚の餌を入れて水中に入れる。所望の深さで容器１８を静止させて魚を待ち、魚が容器内に入ったところで、容器１８を引き上げる。当該魚類捕獲具によると、容器１８が水中から上がった際に、側壁１４の貫通穴１６より低い位置の水は容器内に保たれるため、魚を傷つけることがない。また、釣針を使用しないため小魚の捕獲にも適する。【選択図】  図１
2006166886.tif 000002
【特許請求の範囲】
【請求項１】
上部が開口し、側壁に貫通孔を有し、且つ沈水可能に構成された有底の容器と、
該容器に一端が固定された保持部材と、
該保持部材の他端が固定された棒状部材と、を備えたことを特徴とする魚類捕獲具。
【請求項２】
前記貫通孔が複数個あり、容器側壁の全周にわたって均等に設けられていることを特徴とする請求項１に記載の魚類捕獲具。
【請求項３】
前記保持部材が、糸状体であって前記容器を吊り下げて保持することを特徴とする請求項１又は２に記載の魚類捕獲具。
【請求項４】
前記容器が、魚類が遊泳する水に対する比重が１以上の材料で製造されることによって沈水可能に構成されていることを特徴とする請求項１〜３の何れか１項に記載の魚類捕獲具。
【請求項５】
前記容器に錘をつけることによって沈水可能に構成されていることを特徴とする請求項１〜３の何れか１項に記載の魚類捕獲具。
【発明の詳細な説明】
【技術分野】
【０００１】  本発明は、魚類を捕獲するための魚類捕獲具に関し、特に、釣堀等の遊戯施設において魚類を捕獲するための魚類捕獲具に関する。
【背景技術】
【０００２】  従来、魚類を捕獲するための遊戯施設としては釣堀があり、そこでは、魚類捕獲具として釣針を用いて魚を釣る方法がとられている（例えば、特許文献１参照。）。また、その他遊戯としての魚を捕獲する場としては、縁日等の金魚すくいがあり、ここでは、円形の枠内に紙が張られた魚類捕獲具が用いられている（例えば、特許文献２参照。）。更に、その他の魚類捕獲具としては、一般に網等がある（例えば、特許文献３参照。）。
【特許文献１】  特開２００２−２７２３１２
【特許文献２】  特開２００２−２１０２２９
【特許文献３】  特開平７−８１４２号公報
【発明の開示】
【発明が解決しようとする課題】
【０００３】  しかし、釣針を用いた捕獲は、釣針に餌を付けたり、釣針に食いついた魚を手で外す必要があることから捕獲対象は比較的大きな魚に限られ、小さな魚の捕獲には不適である。また、釣針が魚の口に刺さるため、魚を傷つけ、弱めることになる。これに対して従来、養生用の池を釣堀と別途設ける方法もあるが、根本的に魚の損傷を防止するものではない。更に、釣針の刺さった魚を取り外すのは容易ではなく、直接魚に触れる必要があるため、特に女性等には敬遠されている。【０００４】  また、金魚すくいの魚類捕獲具は、水面のごく近傍を泳ぐ金魚をすくうためのものであり、水中に浸すとすぐに破れてしまうために、水槽の底部や中央部を泳ぐ魚類に対して使用することはできない。また、紙が破れて水中に散乱するため水が汚れてしまうという問題がある。【０００５】  更に、網による捕獲は、上記のような釣針や金魚すくいと比較すると、確実に捕獲できるが、その反面、遊戯としての醍醐味に欠ける。また、魚を水中から引き上げる際に、魚が網の中で暴れて、網によって魚が傷つけられる可能性もある。【０００６】  本発明は、上記課題を解決するためになされたものであり、魚を傷つけることなく捕獲することができ、比較的小さな魚の捕獲にも適し、水槽の底部や中央部の魚を捕獲可能で、且つ遊戯性を兼ね備えた魚類捕獲具を提供することを目的とする。
【課題を解決しようとするための手段】
【０００７】  本発明に係る魚類捕獲具は、上部が開口し、側壁に貫通孔を有し且つ沈水可能に構成された有底の容器と、その容器に一端が固定された保持部材と、当該保持部材の他端が固定された棒状部材と、を備えたことを特徴とする。
【０００８】  本発明の魚類捕獲具は、棒状部材の保持部材が固定されていない側を手で持ち、棒状部材から保持部材を介して容器を吊り下げ状態で、当該容器内に魚の餌を入れて水中に入れると、容器が沈水可能なために水中に沈んでいく。所望の深さで容器を静止させて魚を待ち、餌を食べに魚が寄ってきて容器内に入ったところで、棒状部材を介して容器を引き上げる。この際に、容器が上昇すると開口より水が流入するが、貫通孔より水が排出されるため、引き上げる際の抵抗は、貫通孔が設けられていない場合に比べて小さい。また、流入して貫通孔より排水される水の流れによって魚が容器から逃げにくい。更に、容器が水中から上がった際に、側壁の貫通穴より低い位置の水を容器内に保つことができる。
【０００９】  なお、容器の側壁に設ける貫通孔は複数個にし、側壁の全周にわたって均等に設けることが好ましい。これによると容器を引き上げる際の排水が均等に行われるため、水の流れが均等になり、容器が傾く可能性が低く魚がより逃げにくくなる。
【００１０】  更に、保持部材を糸状体で形成して容器を吊り下げるようにすることできる。また、容器は、魚類が遊泳する水に対する比重が１以上の材料で製造されることによって沈水可能に構成しもよく、また容器に錘をつけることによって沈水可能に構成してもよい。
【発明の効果】
【００１１】  以上、本発明の魚類捕獲具によると、釣針を用いずに魚を捕獲することができるため、魚の損傷が少なく、また、釣針で捕獲することのできない小さな熱帯魚等を捕獲することもできる。そして水槽の底部、中央部等のどの位置にも容器を静止させることができるため、底部や中央部を泳ぐ習性のある魚も捕獲することができる。更に、容器を引き上げる際の力が水面より引き上げる場合に貫通孔が設けられていない場合と比較して水の抵抗が少ないため小さな力で引き上げることができる。また、引き上げる際に容器開口より容器内に進入して貫通孔から排水される水の流れによって捕獲した魚が逃げにくくなるため、一旦容器に入った魚を引き上げる際にある程度の確実性を持って引き上げることができ、遊戯者の興を削ぐことがない。そして、容器を水面から引き上げても、容器内に所定の水が保持されるため、水がないために魚が暴れて傷つく可能性が少ない。
【発明を実施するための最良の形態】
【００１２】  以下、本発明による魚類捕獲具の好適な実施形態について図面を参照しながら説明する。図１は本発明の実施形態に係る魚類捕獲具１０の概略斜視図である。当該魚類捕獲具１０は、上部１２が開口し、側壁１４に貫通孔１６を有し、沈水可能に構成された有底の容器１８と、容器１８に一端２０が固定された４本のテグス等の釣糸２２（保持部材、糸状部材）と、釣糸２２の他端２４が固定された釣竿２６（棒状部材）と、を備える。
容器１８は、深皿状の容器であって、捕獲する魚を遊泳させる水に対する比重が１以上である素焼きの陶製皿であって、底部の内面には、餌を入れるための窪み１８ａが設けられている。側壁１４の貫通孔１６は複数個設けられており、各々同じ円形で容器１８の側壁１４の同一水平位置に均等に形成されている。また、側壁１４の貫通孔１６より上の縁部には、同一水平位置に均等に４つの糸通し孔２８が設けられている。釣糸２２は、４本が各々同じ長さであって糸通し孔２８に一端が結ばれている。そして釣糸の他端２４は、４本まとめて釣竿２６の先端３０に固定されている。【００１３】  次に本実施形態の作用を図２を用いて説明する。まず、釣竿の、容器１８が吊り下げられていない基端部３２を手で持ち、釣竿２６から釣糸２２を介して容器１８を吊り下げる。そして当該容器１８内の窪み１８ａに錠剤状の餌や練り餌等の魚の餌３４を入れて水中に入れると、容器１８は自重によって水中に沈んでいく。所望の深さで釣竿２６を静止させて魚を待つ。そして餌を食べに魚３６が寄ってきて容器１８内に入ったところで、釣竿２６を上げて容器１８を引き上げる。【００１４】  この際に、図３に示すように開口より流入する水３８は貫通孔１６より横に排水されるため、引き上げる際の力は貫通孔１６が設けられていない場合に比べて小さくてすむ。【００１５】  また、貫通孔１６は側壁１４の全周にわたって複数個均等に設けられているため、容器１８を引き上げる際の排水が均等に行われ、引き上げる際に容器が傾く可能性が小さく魚３６が逃げにくい。【００１６】  更に、引き上げる際に容器１８の上部１２より容器１８内に進入する水が貫通孔１６から排水される水の流れによって、捕獲した魚が逃げにくくなる。【００１７】  また容器１８が水から引き上げられても、図４に示すように容器１８内には一定量の水が保たれる。故に、水がないために魚３６が暴れて傷つく可能性が少ない。【００１８】  以上、本発明の魚類捕獲具１０によると、釣針を用いずに魚を捕獲することができるため、魚の損傷が少なく、小さな熱帯魚等を捕獲することもできる。また、水槽の底部、中央部等どの位置にも容器１８を配置することができるため、底部や中央部を泳ぐ習性のある魚も捕獲することができる。【００１９】  なお、容器の材質は陶製に限定されず、どのような材質であっても良い。例えば透明なガラス容器を用いた場合は、容器内部の魚の様子を観察できるという効果がある。また、水より軽いプラスチックの容器を用いた場合は、錘をつけて水に沈むようにすることが必要であるが、この場合容器が安価に作成でき、且つ丈夫であるという効果がある。【００２０】  また、容器の形状は、皿状に限定されず、例えば、バケツ型、角筒型等どのような形でも良い。また、容器１８の底部に設けた餌用の窪み１８ａは任意である。そして設けない場合は底部に餌を配置等すればよく、設ける場合も底部に限定されず、壁部等他の場所に設けても良い。【００２１】  貫通孔の形状も円形に限定されず、例えば四角であってもよく、また、貫通孔の数も任意である。但し、複数個の場合は容器の側壁に均等に設けることによって、水中に持ち上げる際に均等に力が加わるようになる。【００２２】  ���持部材も釣糸に限定されず、他の糸状部材であってもよく、また糸状部材に限らず、細棒や紐状部材であってもよい。【００２３】  また、保持部材の数も４に限定されない。例えば、図５（ａ）に示すように１箇所で固定する場合や（ｂ）に示すように２箇所、また（ｃ）に示すように３ヶ所で固定することもできる。１箇所で固定した場合は、安定性に欠けるため、より遊戯的要素が高まることになる。【００２４】  更に、棒状部材は、竹、ファイバー等何れの材質であってもよく、リールなどを取り付けても良い。
【図面の簡単な説明】
【００２５】
【図１】  本発明の実施形態に係る魚類捕獲具の概略図である。
【図２】  図１の魚類捕獲具の使用状態を示した図である。
【図３】  図１の魚類捕獲具を水中より引き上げる際の水の流れを示した図である。
【図４】  図１の魚類捕獲具が水中より引き上げられた状態を示した図である。
【図５】  本発明の変形例を示した図であり、（ａ）は保持部材が１本の場合、（ｂ）は保持部材が２本の場合、（ｃ）は保持部材が３本の場合である。
【符号の説明】
【００２６】１０  魚類捕獲具
１２  上部
１４  側壁
１６  貫通孔
１８  容器
２２  釣糸（保持部材、糸状部材）
２６  釣竿（棒状部材）
【図１】
2006166886.tif 000003
【図２】
2006166886.tif 000004
【図３】
2006166886.tif 000005
【図４】
2006166886.tif 000006
【図５】
2006166886.tif 000007